(57)【要約】【課題】大型スーパーなどでの車の駐車の際や、空港での駐車の際など、長時間や数日の経過後に車に戻ったとき、車の位置を探すのに重い荷物を持ち長時間歩き回り、時間や労力の無駄とか、寒さ・暑さで疲れる場合があり、手元で簡単に操作が出来る記憶具が望まれていた。これを解決するために簡単に手動で番号などの表示をしておくことが出来る記憶具を提供する。【解決手段】記憶具の内部に、手動式で回転する数字版のディスクを固着形成させ、表示窓にその番号を表示させておき、長時間過ぎても表示窓の番号を見ると車の駐車場所の確認が出来るようにした。 【選択図】      図１
2010145776.tif 000002
【特許請求の範囲】
【請求項１】
複数の表示窓を有し、この窓の少なくとも２つの窓のそれぞれに表示される数字もしくは記号を有したディスクと、上記のディスクの少なくとも１つに記号を表示、他のディスクは数字を表示し、各ディスクの外周には回転操作用の凹凸を形成したことを特徴とする記憶具。
【請求項２】
請求項１に記載の記憶具において、本体ケースの表面と裏面の表示窓に表示が見えるようにディスクを二段に軸支し、表示窓近傍には桁判別符号を表示し、窓に表示させた番号の順番を確認できるようにしたことを特徴とする記憶具。
【請求項３】
請求項１記載の本体ケースには、ロック部材の操作により、表示窓に表示されたディスク板の数字もしくは記号を固定したり、解除したりの操作が出来る手段を本体ケースに設けたことを特徴とする記憶具。
【発明の詳細な説明】
【技術分野】
【０００１】
本発明は、駐車場で車を停めたときの駐車場所の番号や、駐車階のフロアー数字・東西南北の位置などを記憶させる装置に関するものである。
【背景技術】
【０００２】
大型ショッピングセンターなどで駐車した車の位置を探すのに時間がかかったり、また、立体駐車場などでは駐車したフロアーがわからなくなったり、広大な一面の駐車場では位置が分からなくなり、探すのに長時間かかることが多く煩わしい問題があった。
【０００３】
従来の駐車場での車探しとして可能なものは、駐車場の管理者が情報を提供するもの、（例えば、特開２００４―１９９６０４)や、または、ゴルフクラブの本数を確認するもの、（例えば、特開平８−１３１５９０）や、または、バトミントンのスコアーカウントを記憶させるもの、（例えば、実用新案登録第３１３００４９）などがある。
【０００４】
【特許文献１】特開２００４ー１９９６０４
【特許文献２】特開平８―１３１５９０
【特許文献３】実用新案登録第３１３００４９
【発明の開示】
【発明が解決しようとする課題】
【０００５】
文献１は、駐車場にて、自分の車の駐車位置を不確実な記憶で探し回った後に，駐車場管理者の場所まで行かないと確認できず、個人が簡単に操作できるものではなかった。
【０００６】
文献２や、文献３は、ディスク板を一面に数個も取り付けるため、表示窓や文字盤も小さくなり、また、ディスクを回転させる凹凸も小さくなり、指で回すのに難しい面もあり、ポケット内などで他のものに引っかかり出し入れし難いし、又、暗くなってからの使用は不可能なものであった。  
【０００７】
そこで、本発明は、上記に鑑みて発明したものであって、大掛かりな機械や電池なども使わず、車を駐車場に駐車したときに、手元で簡単な操作ができ、鍵と一緒に持ち運びができ、また、持ち運びの際の間違い操作や、ディスクの凹凸などでの怪我なども緩和でき、広大な駐車場であっても、何階の何番・東西南北の何番に駐車させたかが手元の表示窓を見ることで、短時間で車の駐車場所まで行けるものを提供することを目的とする。  
【課題を解決するための手段】
【０００８】
上記の目的を達成するために、第１の発明は、複数の表示窓を有し、この窓の少なくとも２つの窓のそれぞれに表示される数字もしくは記号を有したディスクと、上記のディスクの少なくとも１つに記号を表示、他のディスクは数字を表示し、各ディスクの外周には回転操作用の凹凸を形成したことを特徴とする記憶具。
【０００９】
請求項１に記載の記憶具において、本体ケースの表面と裏面の表示窓に表示が見えるようにディスクを二段に軸支し、表示窓近傍には桁判別符号を表示し、窓に表示させた番号の順番を確認できるようにしたことを特徴とする記憶具。
【００１０】
また、請求項１記載の本体ケースには、ロック部材の操作により、表示窓に表示されたディスク板の数字もしくは記号を固定したり、解除したりの操作が出来る手段を本体ケースに設けたことを特徴とする記憶具
【発明の効果】
【００１１】
この発明の記憶具を使用することで、立体駐車場や、広大な一面の駐車場などで駐車場所を忘れてしまったときや、急いで車を離れるときなど、または、長時間・数日間の用事を済ませて駐車場に戻ったとき、殆どが重い手荷物を持ち捜し歩いている状態である。そんな時、手元の表示窓を見ると何階の何番・または、東西南北の何番に駐車させているかが簡単に探せて、無駄な労力や時間を省略でき、仕事や買い物に集中でき、駐車場料金も節約できるものである。
【発明を実施するための最良の形態】
【００１２】
以下、この発明につき図面を参照しつつ詳細に説明する。なお、この実施の形態によりこの発明が限定されるものではない。また、以下に示す実施の形態の構成要素には、当業者が置換可能かつ容易なもの、或いは実質的同一のものが含まれる。
【実施例１】
【００１３】
図１は、この発明の斜視図であるが、本体ケース１は、ＡＢＳ樹脂・ポリエチレン・ポリプロピレン・ゴム製品・木製品・ステンレス・その他これらの樹脂を含浸コーティングした材料で形成する。形状は横３０ミリから４０ミリ前後とし、縦５０ミリから７０ミリ前後とし、厚みは１０ミリから２０ミリ前後で形成する。点線の部分のディスク２はＡＢＳ樹脂・ポリエチレン・ポリプロピレン・ステンレスの薄板で、大きさも２５ミリから３５ミリ前後の円形又は楕円形などとし、厚みは３ミリから５ミリ前後とし、本体ケース１の内部にディスク２・ディスク１０を上下２段・ディスク２を上下２段と左右２枚に並列形成し、各二枚のディスクは、回転用固定具２３に固着形成する。表面２枚・裏面２枚とした、ディスクの操作部分２ａを指で回転させ、数字もしくは記号を表示窓３・４・８・９に表示させる。その後、ロック部材５の操作により、ディスク２の回転が止まり、表示窓３・４・８・９に表示した数字もしくは記号の移動を停止させる。
【００１４】
図２は、本体ケース１の表面の平面図であるが、桁判別符号１８の表示窓３にはディスク２の操作部分２ａを指で回転操作させて、一桁の番号を表示させ、桁判別符号１９の表示窓４にはディスク２の操作部分２ａを指で回転させて、二桁目の番号を表示させる。
【００１５】
図３は、本体ケース１の裏面の平面図であるが、桁判別符号２０の表示窓８にはディスク２の操作部分２ａを指で回転させて、三桁目の番号を表示させ、桁判別符号２１の表示窓９にはディスク１０の操作部分２ａを指で回転させて、フロアーの階数字や、東西南北の表示が出るようにする。
【００１６】
図４は、図２における矢視図である。
【００１７】
図５は、ケース１の断面図であるが、スイッチ部材５が押されると並列形成しているディスク板２とディスク板２の中心部に移動し、スライド板６の左右に設けた凹凸７がディスク２の凹凸２ｂと係合して、ディスク２の回転が止まり、表示窓３・４・８・９の数字もしくは記号が固定できる。また、他の片面も同じように形成する。
【００１８】
図６は、本体ケース１におけるＡ−Ａ断面図であるが、ロック用のスイッチ部材５を押すことでスライド板６が、ディスク２とディスク２、または、ディスク２とディスク１０の間に入り、表示窓３・４・８・９の数字もしくは記号が固定できる。また、ロック用スイッチを引き戻すことで各ディスクの回転を可能にする。
【００１９】
図７は、ロック部材５の斜視図であるが、ロック用ノブのスライド板６は、本体ケース１内のディスク板４枚の凹凸に同時に系合するように厚みも７ミリから１７ミリ前後とする。
【００２０】
図８は、ディスク２の平面図であるが、駐車場所の番号数字となるので、０から９の表示とする。
【００２１】
図９は、ディスク１０の平面図であるが、階数字を１から６とし、東西南北の表示
をＥ・Ｗ・Ｓ・Ｎとする。
【００２２】
図１０は、図４の別の例であるが、図１１のロックノブ１３をスライド操作することで、スライド板２４が移動し、ディスク１２の凹凸部１２ａと係合してディスク１２の回転を止めるものである。これも上下二段で形成する。
【００２３】
また、ケース１の表面には、静電気防止効果を混製造することも出来るし、また、紐取り付け具２２には車の鍵と一緒に鈴などつけておくと落としたとき音で気がつきやすい。また、表示される数字や本体ケース１には、蛍光色を使い暗くても見えやすく形成する。
【図面の簡単な説明】
【００２４】
図面はそれぞれ本発明の実施例を示すものである。 
【図１】本発明の斜視図である。
【図２】本発明の表面の平面図である。
【図３】本発明裏面の平面図である。
【図４】本発明の図２におけるＦ矢視図である。
【図５】本発明の断面図である。
【図６】本発明の本体ケースにおけるＡ−Ａの断面図である。
【図７】本発明のロック部材の斜視図である。
【図８】本発明の数字表示のディスクの正面図である。
【図９】本発明の記号表示のディスクの正面図である。
【図１０】本発明の別な例の断面図である。
【図１１】本発明の別な例のロック装置の側面図である。
【符号の説明】
【００２５】
１      本体ケース
２      ディスク
２ａ    ディスク操作部分
２ｂ    ディスクの凹凸部
３      表示窓
４      表示窓
５      ロック用のノブ
６      ロック用のノブのスライド板
７      ロック用のノブのスライド板の凹凸
８      表示窓
９      表示窓
１０    ディスク
１１    ケース
１２    ディスク
１２ａ  ディスクの凹凸部
１３    ロックノブ
１４    バネ
１５    ディスク止め具
１６    駐車場所の番号表示用数字
１７    駐車場所の階数字もしくは東西南北の表示用数字・記号
１８    桁判別符号の一桁目の番号表示
１９    桁判別符号の二桁目の番号表示
２０    桁判別符号の三桁目の番号表示
２１    桁判別符号の階番号・東西南北表示
２２    紐取り付け具
２３    ディスク回転用固定具
２４    スライド板
【図１】
2010145776.tif 000003
【図２】
2010145776.tif 000004
【図３】
2010145776.tif 000005
【図４】
2010145776.tif 000006
【図５】
2010145776.tif 000007
【図６】
2010145776.tif 000008
【図７】
2010145776.tif 000009
【図８】
2010145776.tif 000010
【図９】
2010145776.tif 000011
【図１０】
2010145776.tif 000012
【図１１】
2010145776.tif 000013
【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
本体ケースの表面と裏面とに表示窓を有し、この表示窓から見えるように複数のディスクをそれぞれ軸支し、一方の表示窓の少なくとも１つは記号が表示されるディスクであり、他方の面の表示窓には数字が表示されるディスクとなし、本体ケースには各ディスクを固定したり、解除したりの操作ができるロック部材を設け、かつ、表示窓近傍には桁判別符号を表示したことを特徴とする記憶具。
【手続補正２】
【補正対象書類名】明細書
【補正対象項目名】０００８
【補正方法】変更
【補正の内容】
【０００８】
上述の目的を達成するためにこの発明による記憶具は、本体ケースの表面と裏面とに表示窓を有し、この表示窓から見えるように複数のディスクをそれぞれ軸支、一方の表示窓の少なくとも１つは記号が表示されるディスクであり、他方の面の表示窓には数字が表示されるディスクとなし、本体ケースには各ディスクを固定したり、解除したりの操作ができるロック部材を設け、かつ、表示窓近傍に設けた判別符号を表示したことを特徴とする記憶具。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】